(57)【要約】【課題】表示パネルの有する固有のチャンネル番号を容易に確認可能な表示制御システムを提供する。【解決手段】生産目標情報が入力されて受け取る受信チャンネル番号が割り当てられた受信部１５と、生産実績情報の表示を行う表示部１０と、を備えた表示器１と、生産目標情報を設定するパラメータが登録された表示内容設定スイッチ２０，２１と、表示器１のチャンネル番号を設定する送信チャンネル番号設定スイッチ２３と、スイッチ２０，２１，２３が操作されたとき、制御信号を送出する信号送信部２ａ，２９と、を備えたリモコン２と、から構成され、リモコン２には、表示器１のチャンネル番号を表示部１０に表示させるためのチャンネル表示スイッチ２２が設けられ、これが操作されると、データ送信部２ａから送信チャンネル番号とチャンネル表示命令が発信され、表示器１は、これをデータ受信部１５で受信すると、表示部１０に受信チャンネル番号を表示する。【選択図】図２
2010109742.tif 000002
【特許請求の範囲】
【請求項１】
生産目標情報が入力され、生産目標情報を受け取る受信チャンネル番号が割り当てられた第１入力部と、生産実績情報が入力される第２入力部と、生産実績情報に基づく表示を行う表示部と、を備えた表示器と、
生産目標情報を設定するための表示内容設定スイッチと、生産目標情報を変更すべき表示器のチャンネル番号を設定する送信チャンネル番号設定スイッチと、前記表示内容設定スイッチ及び送信チャンネル番号設定スイッチが操作されたとき、個々のスイッチに割り当てられた制御信号を送出する信号送信部と、を備えたリモートコントローラと、から構成される表示制御システムにおいて、
前記リモートコントローラには、前記表示器の受信チャンネル番号を前記表示部に表示するように命令を行うチャンネル表示命令が割り当てられたチャンネル表示スイッチが設けられ、このチャンネル表示スイッチが操作されると、前記信号送信部からチャンネル表示命令を含むリモコン送信信号が発信され、
前記表示器は、チャンネル表示命令を含む前記リモコン送信信号を前記第１入力部で受信すると、前記表示部に前記受信チャンネル番号を表示する表示制御部を有することを特徴とする表示制御システム。
【請求項２】
前記表示器は、リモコン送信信号を受信したとき、チャンネル表示命令信号を含む制御信号を解析した後に、リモコン送信信号に含まれる送信チャンネル番号を解析する解析部を有することを特徴とする請求項１に記載の表示制御システム。
【請求項３】
請求項１又は２に記載の表示制御システムに用いられる表示器であって、
生産目標情報が入力され、生産目標情報を受け取る受信チャンネル番号が割り当てられた第１入力部と、
生産実績情報が入力される第２入力部と、
前記生産実績情報に基づく表示を行う表示部と、
チャンネル表示命令を含む前記リモコン送信信号を前記第１入力部で受信すると、前記表示部に前記受信チャンネル番号を表示する表示制御部と、を有することを特徴とする表示器。
【請求項４】
生産目標情報が入力され、生産目標情報を受け取る第１受信チャンネル番号が割り当てられた第１入力部と、第１の生産実績情報が入力される第２入出力部と、前記第１の生産実績情報に基づく表示を行う第１表示部と、を備えた第１表示器と、
第１表示器の第２入出力部と接続されると共に、生産目標情報が入力され、生産目標情報を受け取る第２受信チャンネル番号が割り当てられた第３入力部と、第２の生産実績情報が入力される第４入力部と、前記第２の生産実績情報に基づく表示を行う第２表示部と、を備えた第２表示器と、
生産目標情報を設定するための表示内容設定スイッチと、生産目標情報を変更すべき表示器のチャンネル番号を設定する送信チャンネル番号設定スイッチと、前記表示内容設定スイッチ及び送信チャンネル番号設定スイッチが操作されたとき、個々のスイッチに割り当てられた制御信号を送出する信号送信部と、を備えたリモートコントローラと、から構成される表示制御システムにおいて、
前記リモートコントローラには、前記表示器の受信チャンネル番号を前記表示部に表示するように命令を行うチャンネル表示命令が割り当てられたチャンネル表示スイッチが設けられ、このチャンネル表示スイッチが操作されると、前記信号送信部からチャンネル表示命令を含むリモコン送信信号が発信され、
前記第１表示器は、チャンネル表示命令を含む前記リモコン送信信号を前記第１入力部で受信すると、前記第２入出力部を介して前記第２表示器にチャンネル表示命令信号を送信し、
前記第２表示器は、チャンネル表示命令信号を第３入力部で受信すると、第２表示部に第２受信チャンネル番号を表示する表示制御部を有することを特徴とする表示制御システム。
【請求項５】
前記第１表示器は、リモコン送信信号を受信したとき、チャンネル表示命令信号を含む制御信号を解析した後に、リモコン送信信号に含まれる送信チャンネル番号を解析する解析部を有することを特徴とする請求項４に記載の表示制御システム。
【請求項６】
請求項４又は５に記載の表示制御システムを構成する第１表示器に接続される表示器であって、
第１表示器の第２入出力部と接続されると共に、生産目標情報が入力され、生産目標情報を受け取る第２受信チャンネル番号が割り当てられた第３入力部と、
第２の生産実績情報が入力される第４入力部と、
前記第２の生産実績情報に基づく表示を行う第２表示部と、
前記第１表示器の前記第２入出力部を介して送信されたチャンネル表示命令信号を第３入力部で受信すると、前記第２表示部に第２受信チャンネル番号を表示する表示制御部と、を有することを特徴とする表示器。
【請求項７】
受信チャンネル番号の表示は、前記表示部の一部で行われることを特徴とする請求項１，２，４，５のいずれか１項に記載の表示制御システム。
【請求項８】
前記表示部が７セグメントＬＥＤからなることを特徴とする請求項１，２，４，５，７のいずれか１項に記載の表示制御システム。
【発明の詳細な説明】
【技術分野】
【０００１】
本発明は、生産目標情報が入力され、生産目標情報を受け取る受信チャンネル番号が割り当てられた第１入力部と、生産実績情報が入力される第２入力部と、生産実績情報に基づく表示を行う表示部と、を備えた表示器と、生産目標情報を設定するための表示内容設定スイッチと、生産目標情報を変更すべき表示器のチャンネル番号を設定する送信チャンネル番号設定スイッチと、前記表示内容設定スイッチ及び送信チャンネル番号設定スイッチが操作されたとき、個々のスイッチに割り当てられた制御信号を送出する信号送信部と、を備えたリモートコントローラと、から構成される表示制御システム及びこれに用いられる表示器に関するものである。
【背景技術】
【０００２】
かかる表示制御システムにおける表示器は、工場の生産ライン等において生産実績情報や生産目標（計画）情報や進度情報を表示する表示パネルとして用いられている。この表示パネルにこれらの情報を表示させることで、現在の製品の生産実績が予定通り進行しているのか、生産目標数に到達したかなどをリアルタイムで確認できるようにしている。
【０００３】
また、このような表示パネルは、生産ラインの数に応じて設置されるものであり、生産ラインが複数になれば、表示パネルの設置数も複数になる。表示パネルに表示される生産目標情報の設定については、リモートコントローラ（以下、「リモコン」ということがある。）により予め行っている。リモコンに設けられた設定スイッチを操作して、生産目標情報を表示パネルへ送信し、設定及び表示させることができる。
【０００４】
ここで、表示パネルが複数設置されている場合、表示パネルに割り当てられたチャンネル番号（表示パネルを識別するＩＤに相当する。）と、リモコン側の設定チャンネル番号を合わせる必要がある。したがって、設定変更すべき表示パネルのチャンネル番号を予め確認する必要がある。間違えて、異なる表示パネルの設定を変更してしまわないようにするためである。
【０００５】
しかし、この表示パネルが有するチャンネル番号は、パネル背面側にあるディップスイッチ等により設定されるものがあり、容易に確認ができない。この場合は、背面側からチャンネル番号を確認する必要があり、煩雑である。また、各表示パネルについてのチャンネル番号をメモなどして記憶しておく方法も考えられるが、いちいちメモに残すのは煩雑であるし、メモを紛失してしまうと、再度表示パネルのチャンネル番号を確認する動作が必要になり、作業効率の低下を招く。
【０００６】
なお、機器とリモコンの登録番号が一致しているか否かを確認するシステムとして、下記特許文献１に開示される遠隔操作リモコンが知られている。このリモコンは、遠隔設置された機器に運転表示する複数個のスイッチと、機器の運転状態を表示する表示部と、工場出荷段階で機器ごとに設定され固有の登録番号（チャンネル番号に相当）を有する記憶素子とを備え、スイッチの多重操作により登録番号を表示部に表示させるものである。
【０００７】
【特許文献１】特開平６−２１７３８１号公報
【発明の開示】
【発明が解決しようとする課題】
【０００８】
かかる従来技術では、スイッチの多重操作により行うものであり、操作が行いにくいという問題がある。また、どのスイッチの組み合わせによる多重操作なのかを記憶したりする必要があり、簡単な操作であるとはいえない。さらに、上記従来技術では、登録番号を表示させるのがリモコンの表示部であるから、複数の表示パネルが設置されている場合、同時に効率よく各表示パネルの登録番号を確認することは難しいと考えられる。
【０００９】
本発明は上記実情に鑑みてなされたものであり、その課題は、複数の表示パネルが設置されている場合でも、表示パネルの有する固有のチャンネル番号を容易に確認可能な表示制御システム及びこれに用いられる表示器を提供することである。
【課題を解決するための手段】
【００１０】
上記課題を解決するため本発明に係る表示制御システムは、
生産目標情報が入力され、生産目標情報を受け取る受信チャンネル番号が割り当てられた第１入力部と、生産実績情報が入力される第２入力部と、生産実績情報に基づく表示を行う表示部と、を備えた表示器と、
生産目標情報を設定するための表示内容設定スイッチと、生産目標情報を変更すべき表示器のチャンネル番号を設定する送信チャンネル番号設定スイッチと、前記表示内容設定スイッチ及び送信チャンネル番号設定スイッチが操作されたとき、個々のスイッチに割り当てられた制御信号を送出する信号送信部と、を備えたリモートコントローラと、から構成される表示制御システムにおいて、
前記リモートコントローラには、前記表示器の受信チャンネル番号を前記表示部に表示するように命令を行うチャンネル表示命令が割り当てられたチャンネル表示スイッチが設けられ、このチャンネル表示スイッチが操作されると、前記信号送信部からチャンネル表示命令を含むリモコン送信信号が発信され、
前記表示器は、チャンネル表示命令を含む前記リモコン送信信号を前記第１入力部で受信すると、前記表示部に前記受信チャンネル番号を表示する表示制御部を有することを特徴とするものである。
【００１１】
かかる構成による表示制御システムの作用・効果を説明する。この表示制御システムは、表示器とこの表示器に関する操作を行うためのリモートコントローラにより構成される。表示器は、生産目標情報が入力され、生産目標情報を受け取る受信チャンネル番号が割り当てられた第１入力部と、生産実績情報が入力される第２入力部と、生産実績情報に基づく表示を行う表示部を備えている。生産目標情報は、リモートコントローラにより設定されたデータが第１入力部を介して入力される。
【００１２】
一方、リモートコントローラは、生産目標情報を設定するための表示内容設定スイッチを備える。例えば、設定を行うためのパラメータが登録されている。この設定スイッチを用いて、生産目標情報を設定することができる。また、生産目標情報を変更すべき表示器のチャンネル番号を設定する送信チャンネル番号設定スイッチを備える。これにより、どの表示器について生産目標情報を変更したいのかを設定することができ、この場合、設定したい表示器が有する固有のチャンネル番号を設定する。さらに、これらの設定スイッチが操作されたとき、個々のスイッチに割り当てられた制御信号を送出する信号送信部が設けられている。
【００１３】
また、リモートコントローラは、表示器の有する固有のチャンネル番号を表示部に表示させるためのチャンネル表示スイッチを備えている。すなわち、チャンネル番号を表示器側の表示部に表示させるための専用のスイッチを設けており、このチャンネル表示スイッチの操作により、表示部に受信チャンネル番号を表示させることができる。このように、表示器側にチャンネル番号を表示させる構成であるから、複数の表示器が設置されている場合であっても、それぞれの表示部に表示させることができる。また、専用にチャンネル表示スイッチを設けているので、多重操作のような煩雑な操作は不要であり、きわめて簡単にチャンネル番号を確認することができる。以上の通り、複数の表示パネルが設置されている場合でも、表示パネルの有する固有のチャンネル番号を容易に確認可能な表示制御システムを提供することができる。
【００１４】
本発明において、表示器は、リモコン送信信号を受信したとき、チャンネル表示命令信号を含む制御信号を解析した後に、リモコン送信信号に含まれる送信チャンネル番号を解析する解析部を有することが好ましい。
【００１５】
この構成によると、表示器とリモートコントローラのチャンネル番号が一致していなくても、確実に表示器側でチャンネル番号の表示を行うことができる。すなわち、チャンネル表示命令信号が含まれておれば、その命令に従い、チャンネル番号を表示させる。また、制御信号を解析した後に、送信チャンネル番号を解析する。これにより、送信チャンネル番号が、表示器の有するチャンネル番号と一致しているか否かを認識することができる。例えば、一致している場合と一致していない場合とで、チャンネル番号の表示態様を異ならせることができる。
【００１６】
本発明に係る表示制御システムに用いられる表示器は、
生産目標情報が入力され、生産目標情報を受け取る受信チャンネル番号が割り当てられた第１入力部と、生産実績情報が入力される第２入力部と、前記生産実績情報に基づく表示を行う表示部と、チャンネル表示命令を含む前記リモコン送信信号を前記第１入力部で受信すると、前記表示部に前記受信チャンネル番号を表示する表示制御部と、を有することを特徴とするものである。
【００１７】
かかる構成を有する表示器の作用・効果は、すでに述べたとおりである。すなわち、リモートコントローラは、表示器の有する固有のチャンネル番号を表示部に表示させるためのチャンネル表示スイッチを備えており、このチャンネル表示スイッチの操作により、表示部に受信チャンネル番号を表示させることができる。表示器側にチャンネル番号を表示させる構成であるから、複数の表示器が設置されている場合であっても、それぞれの表示部に表示させることができる。その結果、複数の表示パネルが設置されている場合でも、表示パネルの有する固有のチャンネル番号を容易に確認可能である。
【００１８】
上記課題を解決するため本発明に係る別の表示制御システムは、
生産目標情報が入力され、生産目標情報を受け取る第１受信チャンネル番号が割り当てられた第１入力部と、第１の生産実績情報が入力される第２入出力部と、前記第１の生産実績情報に基づく表示を行う第１表示部と、を備えた第１表示器と、
第１表示器の第２入出力部と接続されると共に、生産目標情報が入力され、生産目標情報を受け取る第２受信チャンネル番号が割り当てられた第３入力部と、第２の生産実績情報が入力される第４入力部と、前記第２の生産実績情報に基づく表示を行う第２表示部と、を備えた第２表示器と、
生産目標情報を設定するための表示内容設定スイッチと、生産目標情報を変更すべき表示器のチャンネル番号を設定する送信チャンネル番号設定スイッチと、前記表示内容設定スイッチ及び送信チャンネル番号設定スイッチが操作されたとき、個々のスイッチに割り当てられた制御信号を送出する信号送信部と、を備えたリモートコントローラと、から構成される表示制御システムにおいて、
前記リモートコントローラには、前記表示器の受信チャンネル番号を前記表示部に表示するように命令を行うチャンネル表示命令が割り当てられたチャンネル表示スイッチが設けられ、このチャンネル表示スイッチが操作されると、前記信号送信部からチャンネル表示命令を含むリモコン送信信号が発信され、
前記第１表示器は、チャンネル表示命令を含む前記リモコン送信信号を前記第１入力部で受信すると、前記第２入出力部を介して前記第２表示器にチャンネル表示命令信号を送信し、
前記第２表示器は、チャンネル表示命令信号を第３入力部で受信すると、第２表示部に第２受信チャンネル番号を表示する表示制御部を有することを特徴とするものである。
【００１９】
この表示制御システムでは、少なくとも第１表示器と第２表示器の２つがあり、第１表示器の第２入出力部と第２表示器の第３入力部とが接続されている。リモートコントローラのチャンネル表示スイッチを操作したときに、信号は第１表示器により受信されたのち、第２表示器側へ送信される。そして、第２表示器の第２表示部に、第２表示器の有する固有の第２受信チャンネル番号が表示される。このシステムでは、第２表示器自体は、リモートコントローラからの信号を直接受信可能な入力部を備えていないが、第１表示器は、リモートコントローラからの信号を直接受信可能であり、この第１表示器を介して第２表示器についてもチャンネル番号を表示させることができる。また、第２表示器の設定変更もリモートコントローラを用いて、第１表示器を介して行うことができる。その他の作用・効果については、既に述べたとおりである。
【００２０】
本発明において、第１表示器は、リモコン送信信号を受信したとき、チャンネル表示命令信号を含む制御信号を解析した後に、リモコン送信信号に含まれる送信チャンネル番号を解析する解析部を有することが好ましい。
【００２１】
この構成によると、表示器とリモートコントローラのチャンネル番号が一致していなくても、確実に表示器側でチャンネル番号の表示を行うことができる。すなわち、チャンネル表示命令信号が含まれておれば、その命令に従い、チャンネル番号を表示させる。また、制御信号を解析した後に、送信チャンネル番号を解析する。これにより、送信チャンネル番号が、表示器の有するチャンネル番号と一致しているか否かを認識することができる。例えば、一致している場合と一致していない場合とで、チャンネル番号の表示態様を異ならせることができる。
【００２２】
本発明に係る別の表示制御システムを構成する第１表示器に接続される表示器は、
第１表示器の第２入出力部と接続されると共に、生産目標情報が入力され、生産目標情報を受け取る第２受信チャンネル番号が割り当てられた第３入力部と、第２の生産実績情報が入力される第４入力部と、前記第２の生産実績情報に基づく表示を行う第２表示部と、前記第１表示器の前記第２入出力部を介して送信されたチャンネル表示命令信号を第３入力部で受信すると、前記第２表示部に第２受信チャンネル番号を表示する表示制御部と、を有することを特徴とするものである。
【００２３】
かかる構成を有する表示器の作用・効果は、すでに述べたとおりである。すなわち、リモートコントローラは、表示器の有する固有のチャンネル番号を表示部に表示させるためのチャンネル表示スイッチを備えており、このチャンネル表示スイッチの操作により、表示部に受信チャンネル番号を表示させることができる。表示器側にチャンネル番号を表示させる構成であるから、複数の表示器が設置されている場合であっても、それぞれの表示部に表示させることができる。その結果、複数の表示パネルが設置されている場合でも、表示パネルの有する固有のチャンネル番号を容易に確認可能である。
【００２４】
本発明に係る受信チャンネル番号の表示は、前記表示部の一部で行われることが好ましい。
【００２５】
これにより、例えば、表示部で表示すべき項目のうち、重要度の高いものは、チャンネル番号の確認中も表示させておくことができる。
【００２６】
本発明において、前記表示部が７セグメントＬＥＤからなることが好ましい。これにより、表示部の構成を簡素化することができる。
【発明を実施するための最良の形態】
【００２７】
次に、本発明に係る表示制御システムの好適な実施形態を図面を用いて説明する。図１は、表示パネル（表示器に相当）及びリモートコントローラ（リモコン）の外観構成を示す図である。この表示パネルとリモコンにより、表示制御システムが構成される。なお、システムを構成するに際して、表示パネルとリモコンの個数については、特定の数値に限定されるものではなく、１台でもよく複数台でもよい。
【００２８】
＜システムの外観構成＞
表示パネル１は、工場における生産ラインに隣接して、あるいは近傍に設置される。平板状に形成されており、ＬＥＤによる表示部１０が設けられている。表示部１０の左側エリア１１は、表示項目が予め印刷されている。ここでは、「計画」「実績」「進度」の３つの項目が印刷されている。
【００２９】
表示部１０の右側エリアは、第１表示エリア１０ａ、第２表示エリア１０ｂ、第３表示エリア１０ｃにより構成される。第１表示エリア１０ａは、「計画」に対応しており、生産目標情報が表示される。第２表示エリア１０ｂは、「実績」に対応しており、生産実績情報が表示される。この生産実績情報は、時々刻々と変化する情報であり、例えば、製品が１つ完成するごとに数値がカウントアップしていくものである。第３表示エリア１０ｃは、「進度」に対応しており、予定通りに生産が進行しているか否かを数値で表示する。例えば、日々の目標に対して遅れていれば、マイナスの数値として表示される。この情報も時々刻々と変化する情報である。
【００３０】
なお、各表示エリア１０ａ，１０ｂ，１０ｃにおいて、情報の表示を行うために、７セグメントのＬＥＤを必要桁数設けている。これにより、表示部１０の構成を簡素化することができ、コストも抑制することができる。ただし、表示部１０の構成としては、これに限定されるものではなく、ドットマトリックスによる表示を用いてもよい。また、他のタイプの表示態様（液晶やＥＬなど）を用いてもよい。
【００３１】
リモコン２は、表示パネル１の表示内容の設定変更などを行うものである。リモコン２は、モード設定スイッチ群２０、テンキースイッチ群２１を備えており、これらの設定スイッチを操作することで、表示パネル１における設定を変更することができる。
【００３２】
例えば、第１表示エリア１０ａに表示される生産目標情報については、ある製品についての生産目標を達成した後には、改めて目標数値の設定変更がなされる。また、異なる製品についての生産を開始するときにも、改めて設定変更を行うことがある。モード設定スイッチ群２０、テンキースイッチ群２１は、生産目標情報を設定するためのパラメータが登録された表示内容設定スイッチに相当する。
【００３３】
リモコン２の操作方法としては、モード設定スイッチ群２０の中の特定の設定スイッチを押すと、表示パネル１の第１表示エリア１０ａの数値（生産目標情報）を変更することができる。すなわち、「生産目標情報」を変更するためのモードに移行することができる。数値の変更はテンキースイッチ群２１の操作により、第１表示エリア１０ａの数値が設定スイッチを押すたびに変更される。数値の入力等を間違えた場合は、取消スイッチ２４を操作すれば、数値の入力しなおしを行うことができる。
【００３４】
チャンネル表示スイッチ２２は、表示パネル１の有する固有のチャンネル番号（識別用ＩＤ）を当該表示パネル１の表示部１０に表示させるための設定スイッチである。リモコン２により、表示パネル１の設定変更等の操作を行うためには、リモコン２側のチャンネル番号（送信チャンネル番号）と、表示パネル１側のチャンネル番号（受信チャンネル番号）を合致させる必要がある。表示パネル１のチャンネル番号を容易に確認できるようにするために、専用の設定スイッチとして、このチャンネル表示スイッチ２２が設けられている。この点については、後述する。
【００３５】
送信チャンネル番号設定スイッチ２３は、リモコン２側のチャンネル番号を設定するためのスイッチである。前述のように、表示パネル１の設定変更を行うためには、両者のチャンネル番号を一致させておくことが必要である。特に、表示パネル１が複数台設置されている場合は、個々の表示パネル１に異なるチャンネル番号が割り当てられており、設定変更したい表示パネル１を特定させる必要がある。そのために、リモコン２の送信チャンネル番号を設定するのである。また、リモコン２の送信チャンネル番号を設定するためには、表示パネル１のチャンネル番号を知る必要があるため、前述のチャンネル表示スイッチ２２が設けられている。
【００３６】
＜表示制御システムのブロック図＞
次に、図１に示す表示制御システムのブロック図を図２に示す。まず、表示パネル１の制御系について説明する。ＣＰＵ１２は、表示パネル１全体の制御をつかさどる制御装置である。プログラムメモリ１３に格納されているプログラムに従って表示部１０等に対する制御を行う。
【００３７】
チャンネル番号記憶部１４には、表示パネル１に特有のＩＤとしてチャンネル番号が記憶されている。具体的には、ディップスイッチによりハード的に設定されている。ディップスイッチは、表示パネル１の裏面側に設けられており、表からは見えないようにされている。なお、チャンネル番号記憶部１４をハードウェアではなく、ソフト的に記憶させてもよい。例えば、ハードディスクのような記憶装置にチャンネル番号データとして記憶させてもよい。
【００３８】
データ受信部１５は、リモコン２から送信されてくる信号を受信する。例えば、リモコン２により設定される生産目標情報が入力される。データ受信部１５は、受光センサーを含む回路により構成される。
【００３９】
入力Ｉ／Ｆコントローラ１６（以下、単に「入力コントローラ」という）は、表示パネル１の設定変更用のコントロール基板を中核と伸して構成され、データ受信部１５が受信した信号を受け取り解析する。この入力コントローラ１６は、図１の表示部１０の各表示エリア１０ａ，１０ｂ，１０ｃに種々の情報を表示させるための表示制御部１６ａとしての機能と、解析部１６ｂとしての機能を有している。
【００４０】
入力コントローラ１６は、受信したリモコン送信信号を解析し、リモコン２からの送信チャンネル番号と、表示パネル１に割り当てられている受信チャンネル番号（チャンネル番号記憶部１４の記憶内容）とを比較して、両者が一致していれば、受信した生産目標情報を表示部１０の第１表示エリア１０ａに表示させるようにする。
【００４１】
また、リモコン送信信号にチャンネル番号表示命令が含まれるものと解析された場合、チャンネル番号の一致・不一致に関係なく、表示パネル１のチャンネル番号を表示部１０に表示させるようにする。以上のように、データ受信部１５及び入力コントローラ１６は、生産目標情報が入力され、生産目標情報を受け取る受信チャンネル番号が割り当てられた第１入力部として機能する。
【００４２】
入出力Ｉ／Ｆ１７は、検出センサー３からの検出信号が入力される。検出センサー３は、生産ラインにおいて、製品が１個完成されるごとに検出信号を発生し、入出力Ｉ／Ｆ１７を介して入力される。この検出信号は、生産実績情報に相当するものである。
【００４３】
入出力Ｉ／Ｆ１７を介して入力された検出信号は、入出力Ｉ／Ｆコントローラ１８（以下、「入出力コントローラ」という）へ送信される。入出力コントローラ１８は、検出信号を受け取り、表示部１０の第２表示エリア１０ｂに生産実績情報に変換して表示させる。例えば、1台生産するごとに検出信号が入力されるたびに、カウントアップを行い、そのカウント値を生産実績情報として表示させる。以上のように、入出力Ｉ／Ｆ１７と入出力コントローラ１８は、第２入力部として機能するものである。
【００４４】
次に、リモコン２の制御系について説明する。ＣＰＵ２５は、リモコン２の動作を制御する制御装置に相当する。プログラムメモリ２６には、リモコン２の動作制御を行うためのプログラムが格納されている。チャンネル番号記憶メモリ２７には、送信チャンネル番号が記憶される。この記憶内容は、送信チャンネル番号設定スイッチ２３の操作に基づいて変更することができる。表示パネル１の設定変更を行う場合には、当該表示パネル１の固有のチャンネル番号と同じチャンネル番号をチャンネル番号記憶メモリ２７に記憶させておく必要がある。
【００４５】
入力Ｉ／Ｆ２８は、各設定スイッチ２０〜２４のスイッチ信号を入力し、ＣＰＵ２５へと送信する。出力Ｉ／Ｆコントローラ２９（以下、「出力コントローラ」という）は、入力Ｉ／Ｆ２８を介して入力された各設定スイッチに対して割り当てられた制御信号をデータ送信部２ａを介して送出させる。例えば、前記モード設定スイッチ群２０、テンキースイッチ群２１、チャンネル表示スイッチ２２、送信チャンネル番号設定スイッチ２３、取消スイッチ２４等が操作されたときに、個々のスイッチに割り当てられた制御信号が送出される。
【００４６】
データ送信部２ａは、上記制御信号を赤外線により送出するものであり、赤外線を発光する発光ダイオード、その駆動回路、信号変調回路等により構成される。以上のように、データ送信部２ａ及び出力コントローラ２９は、制御信号を送出する信号送信部として機能する。
【００４７】
＜動作説明１＞
次に、図１、図２に示す表示制御システムにおいて、表示パネル１のチャンネル番号を表示させるときの動作について説明する。図３は、動作を説明するためのフローチャートである。
【００４８】
まず、送信チャンネル番号設定スイッチ２３を操作する（押す）（Ｓ１）。この操作により、信号がＣＰＵ２５に送出され、さらに、出力コントローラ２９により所定のフォーマットのリモコン送信信号を形成し、データ送信部２ａから送出する（Ｓ２）。データ送信部２ａからは、赤外線の信号に変換されて送出される。
【００４９】
ここで、リモコン送信信号のデータのフォーマットを図４に示す。データは、メーカーコード、チャンネル番号、制御信号の３つにより構成されている。メーカーコードとは、他社製品用のリモコンによる誤作動を防ぐために各社ごとに割り当てられた番号をいう。チャンネル番号とは、チャンネル番号記憶メモリ２７に記憶されている送信チャンネル番号を示すデータである。制御信号は、個々の設定スイッチに割り当てられた情報により構成されている。すなわち、制御信号を解析すれば、何に関する命令信号であるかを知ることができる。
【００５０】
表示パネル１のデータ受信部１５で赤外線のリモコン送信信号を受信すると、これを元の電気信号に復調し入力コントローラ１６へと送信する（Ｓ３）。次に、入力コントローラ１６の解析部１６ｂの機能により、受信信号を解析する（Ｓ４）。リモコン２側で送信チャンネル番号設定スイッチ２３が操作された場合、制御信号はチャンネル表示命令を含んで構成される。この解析の後、送信チャンネル番号の解析を行う（Ｓ５）。
【００５１】
次いで、ＣＰＵ１２は、表示部１０にチャンネル番号を表示させる（Ｓ６）。この表示態様を図６に示す。リモコン２の送信可能範囲に複数の表示パネル１が設置されている場合は、それらの表示パネル１の表示部１０にチャンネル番号が表示される。図６の場合、一方がチャンネル番号ＣＨ１であることが示され、もう一方は、チャンネル番号ＣＨ２であることが示されている。
【００５２】
実際に表示されるのは、表示部１０の第３表示エリア１０ｃであるが、これに限定されるものではない。他の表示エリアに表示してもよい。また、表示部１０の全域を利用して、大きな数値で表示させてもよい。なお、ステップＳ５において、送信チャンネル番号の解析を行っているが、チャンネル番号が一致しているか否かにかかわらず、チャンネル番号の表示は行われる。
【００５３】
従って、チャンネル表示命令を解析できた場合、ステップＳ５の解析は必ずしも必要ではないが、チャンネル番号の一致・不一致により、表示態様を異ならせてもよい。例えば、一致しているか否かに応じて、表示色を変えたり、表示場所を変えたり、大きさを変えるなどを行うことができる。これにより、リモコン２側では、必要に応じて、送信チャンネル番号の設定を変えることができる。
【００５４】
本発明に係る構成では、リモコン２に専用のチャンネル表示スイッチ２２を設けているので、チャンネル番号を表示させるために、複数の設定スイッチを操作する多重操作は不要である。従って、きわめて簡単にチャンネル番号を確認することができ、複数の表示パネル１が設置されている場合でも、表示パネル１の有する固有のチャンネル番号を容易に確認可能である。
【００５５】
図３に戻り、チャンネル番号の表示時間は予め決められており、本実施形態では１秒間表示させた後に消滅する（Ｓ７）。この表示時間については、適宜設定できるものである。また、チャンネル番号の表示を行っている時に、他の生産目標情報や生産実績情報については、そのまま点灯させておいてもよいし、チャンネル番号を表示している間は消灯させてもよい。
【００５６】
＜作動説明２＞
次に、生産目標情報の数値を設定変更するときの動作を図７のフローチャートにより説明する。生産目標情報を設定変更するときは、リモコン２のモード設定スイッチ群２０の中から該当する設定スイッチを操作する（Ｓ１１）。以下、図３の場合と同様に、リモコン送信信号が送信・受信される（Ｓ１２，Ｓ１３）。
【００５７】
リモコン送信信号を受信すると、制御信号の解析を行う（Ｓ１4）。この場合、生産目標情報の設定変更（パラメータ変更）命令である。次に、送信チャンネル番号の解析を行う（Ｓ１５）。ステップＳ１４において、命令がチャンネル番号の表示命令ではない場合、送信チャンネル番号と受信チャンネル番号が一致しているか否かを判定する（Ｓ１６）。
【００５８】
一致していなければ、ステップＳ１４で解析された命令の実行は行われない。一方、一致していれば、パラメータ変更モードに移行する（Ｓ１７）。このモードに移行することで、生産目標情報の数値を変更可能になる。数値の変更は、引き続きリモコン２のテンキースイッチ群２１を操作し数値データを送信すればよい。
【００５９】
図５は、リモコン２から送信されてきた命令の内容と、チャンネル番号との関係を分かりやすく示す対応表である。リモコン２からの命令が、チャンネル番号表示命令である場合、リモコン２と表示パネル１のチャンネル番号の一致・不一致に関係なく、表示パネル１のチャンネル番号を最下段（第３表示エリア１０ｃ）に１秒間表示させる。
【００６０】
また、リモコン２からの命令がパラメータ変更（例えば、生産目標情報の設定値）であれば、チャンネル番号が一致した場合にのみ、パラメータ変更モードに移行する。パラメータ変更は、指定された表示パネル１についてのみ行われるべきであるから、チャンネル番号を一致させる必要がある。
【００６１】
＜第２実施形態に係る表示制御システムの構成＞
次に、第２実施形態に係る表示制御システムの構成を図８により説明する。図２と異なる点を中心に説明する。この実施形態では、２台の表示パネル１，１Ａ（これらは、それぞれ第１表示器、第２表示器に相当する。）が設置されており、リモコン２からのリモコン送信信号を直接受信できるのは、第１表示パネル１の方であり、第２表示パネル１Ａは、リモコン２による受信部（赤外線による受光部）は備えられていない。それ以外の点は、基本的に同じである。したがって、図２に示す実施形態と同じ機能をする箇所には、同じ図番を付している。また、第２表示パネル１Ａの方には、図番に添字Ａを付加している。
【００６２】
この構成において、第２表示パネル１Ａのチャンネル番号を表示させたい場合は、リモコン２のチャンネル表示スイッチ２２を操作することで、第１実施形態の場合と同じように行うことができる。
【００６３】
リモコン２を操作して、リモコン送信信号を送信すると、第１表示パネル１の入力コントローラ１６において解析が行われる。また、受信したリモコン送信信号は、第１入出力Ｉ／Ｆ１７を介して、第２表示パネル１Ａの第２データ受信部１５Ａに送信される。そして、第２入力コントローラ１６Ａにより同様の解析が行われる。
【００６４】
これにより、第２表示パネル１Ａの第２表示部１０Ａに、当該第２表示パネル１Ａのチャンネル番号が表示される。また、第１表示パネル１のチャンネル番号も第１表示部１０に表示される。
【００６５】
図８において、第１入出力Ｉ／Ｆ１７、第１入出力Ｉ／Ｆコントローラ１８は、第２入出力部に相当する。第１データ受信部１５、第１入力Ｉ／Ｆコントローラ１６は、第１入力部に相当する。第２入出力Ｉ／Ｆ１７Ａ，第２入出力Ｉ／Ｆコントローラ１８Ａは、第４入力部に相当する。第２データ受信部１５Ａ、第２入力Ｉ／Ｆコントローラ１６Ａは、第３入力部に相当する。リモコン送信信号の解析部は、入力Ｉ／Ｆコントローラ１６，１６Ａにそれぞれ設けられている。
【００６６】
図８の実施形態では、リモコン２からのデータ受信部を備えていない表示パネル１Ａは、１台だけ接続されているが、２台以上が接続されていてもよい。
【００６７】
＜別実施形態＞
本実施形態では、表示パネル１，１Ａの設定変更を行うときは、リモコン２により行うようにしているが、パソコン（コンピュータ）により行うことができるように構成してもよい。例えば、入出力Ｉ／Ｆ１７，１７Ａを利用して、パソコンを接続し、パソコンから数値の変更を行うようにすることもできる。
【００６８】
図２において、表示制御部１６ａと解析部１６ｂの機能は、入力Ｉ／Ｆコントローラ１６に設けられているが、これに限定されるものではない。ソフトウェアの機能に基づいて、ＣＰＵ２にその機能を持たせてもよい。第２入出力Ｉ／Ｆコントローラ１６Ａも同様である。
【００６９】
表示パネル１では、「計画」等の文字を予め印刷した構成を採用しているが、これに限定されるものではなく、これらの文字についてもＬＥＤのマトリクス表示により行ってもよい。
【図面の簡単な説明】
【００７０】
【図１】表示パネルとリモコンの外観構成を示す図
【図２】表示パネルとリモコンの制御系の構成を示すブロック図
【図３】チャンネル番号を表示させるときの動作を示すフローチャート
【図４】リモコン送信信号のデータ構造を示す図
【図５】リモコン制御信号の内容と受信チャンネル番号との関係を示す図
【図６】複数の表示パネルについてチャンネル番号を表示させた時の表示態様の一例を示す図
【図７】生産目標情報の数値を設定変更するときの動作を示すフローチャート
【図８】第２実施形態に係る表示制御システムの構成を示す図
【符号の説明】
【００７１】
１        表示パネル
２        リモコン
２ａ      データ送信部
１０      表示部
１２ａ    表示制御部
１２ｂ    解析部
１４      チャンネル番号記憶部
１５      データ受信部（第１入力部）
１６      入力Ｉ／Ｆコントローラ（第１入力部）
１６ａ    表示制御部
１６ｂ    解析部
１７      入出力Ｉ／Ｆ（第２入力部）
１８      入出力Ｉ／Ｆコントローラ（第２入力部）
２０      モード設定スイッチ群
２１      テンキースイッチ群
２２      チャンネル表示スイッチ
２３      送信チャンネル番号設定スイッチ
２７      チャンネル番号記憶メモリ
２８      入力Ｉ／Ｆ
２９      出力Ｉ／Ｆコントローラ
【図１】
2010109742.tif 000003
【図２】
2010109742.tif 000004
【図３】
2010109742.tif 000005
【図４】
2010109742.tif 000006
【図５】
2010109742.tif 000007
【図６】
2010109742.tif 000008
【図７】
2010109742.tif 000009
【図８】
2010109742.tif 000010